(57)【要約】  【課題】食用油製造粕を加水分解してスラリーとして高速水流の衝撃作用と剪断作用によって微粉砕して、発酵菌の添加で効率的に消失処理したり、液体肥料など多様に利用できるようにする。  【解決手段】油粕の処理設備１は、発酵菌を大量に培養する発酵菌供給装置１０と、搾油機５からの油粕Ａをアルカリ状態で加水分解してスラリー化するスラリー生成装置２０と、スラリー生成装置２０からの油粕スラリーＳ中の油粕粒子を主に高速水流の衝撃作用と剪断作用とによって微粉砕する微粉砕装置３０と、微粉砕装置３０から微細油粕粒子含有水流Ｓ’の供給を、発酵菌供給装置１０から大量の発酵菌Ｆの供給をそれぞれ受けて発酵処理する処理装置５０とから構成されている。【選択図】  図１
2005334779.tif 000002
【特許請求の範囲】
【請求項１】
食用油の油粕と水とが供給されて油粕スラリーを生成するスラリー生成手段と、
筒状容器内の複数の筒状壁の間に形成された環状流路内に水が高圧ポンプによって供給されて高速水流が発生されると共に上記スラリー生成手段からポンプによって供給される油粕スラリーを環状流路において、高速水流の流れ方向変更部での衝撃作用、筒状壁近傍の剪断作用及び／又は水流中の空気によるキャビテーション作用によってスラリー中の油粕をミクロンレベルの粒子に微粉砕して排出する微粉砕手段と、
を有していることを特徴とする食用油製造粕の処理設備。
【請求項２】
更に、発酵菌供給手段と、
上記微粉砕手段から微粉砕された微細油粕粒子を含んだ微細油粕粒子含有水流の供給を受けると共に上記発酵菌供給手段から発酵菌の供給を受けて油粕粒子を発酵菌で処理する処理手段とを有している請求項１記載の設備。
【請求項３】
上記スラリー生成手段は、油粕と水とを重量比で約１：９の割合で混合してスラリーを生成する請求項１記載の設備。
【請求項４】
上記スラリー生成手段は、ｐＨ調節手段を有している請求項１又は３記載の設備。
【請求項５】
上記発酵菌供給手段は、種菌を収容した種菌槽と、糖蜜栄養槽と、水クラスタを微粉砕する水微粉砕装置と、該水微粉砕装置から微細クラスタの水が供給されると共に上記種菌槽から発酵種菌が供給されると共に糖蜜栄養槽から糖蜜栄養が供給される培養槽とを有している請求項２記載の設備。
【請求項６】
上記微粉砕手段は、略同心状に２層以上の円筒状壁を有し、隣り合う円筒状壁間に環状流路を設けた竪形の円筒状容器と、環状流路に接線方向に加圧流体を注入して円周方向の高速水流をつくって円筒状壁近傍の流体に対して剪断作用を発生させる噴出部と、上記隣り合ういずれかの円筒壁に配置して油粕スラリーを上記高速水流中に供給するスロットと、スロット部での衝撃作用や高速水流への混合時の剪断作用で油粕をミクロンレベルの粒子を含むまで微粉砕された微粉砕粒子を含む微細油粕粒子含有水流を排出する出口部とを有している請求項１記載の設備。
【請求項７】
上記微粉砕手段は、エゼクター部で高圧ポンプによる高速水流によるエゼクター作用で吸入した油粕スラリーと共に、三層の円筒壁によって三つに区画された環状流路の内の第二環状流路に混合高速水流を供給し、内円筒壁のスロットを経て又は内円筒壁の上端からの溢流で流入する内側の第三環状流路から別のポンプによって中間の混合水流を吸入して出口部のある外側の第一環状流路に高速度で供給し、これまでの過程で微粉砕された油粕粒子を含む微細油粕粒子含有水流を出口部から排出するようにしている請求項１記載の設備。
【請求項８】
上記筒状壁は、楕円筒状、又は部分的に平坦な部分を有した円筒状を成している請求項１記載の設備。
【発明の詳細な説明】
【技術分野】
【０００１】
本発明は、大豆、菜種、綿実、亜麻仁、落花生などの植物種子を圧搾又は浸出して油分を取った粕や、魚油かすなどの油粕を微粉砕処理する処理設備、特に発酵菌によって効果的に処理ができるように油粕をミクロンレベルに微粉砕する食用油製造粕の処理設備に関する。
【背景技術】
【０００２】
油粕の主要なものは、大豆粕で、味噌、醤油などの原料や飼料や肥料に用いられるが、他の油粕は有害成分を含んでいたり、産出量が少なかったりするために肥料にされていた。しかし、大豆粕の産出量は群を抜いていたために、焼却処分されるものも多かった。しかし、植物性油粕は、窒素に富んでいて、リン酸及びカリウムも含み、緩効性の基肥として有望であった。従って、油粕様肥料の製造に廃棄食用油に大豆粕を混合し、熟成させるものがある。（例えば、特許文献１参照）。
【特許文献１】特開平８−２６８７２号公報（［発明の詳細な説明］）
【発明の開示】
【発明が解決しようとする課題】
【０００３】
上述のような大豆粕の利用処理では、大量に産出されるものには効果的では無い。近年汚泥やヘドロの有機分を処理するのに効果が注目されている発酵菌を大量に培養するための培養地として、また連作障害も克服する効果のある液体肥料としても大量に利用できるようにする要望に答える必要があった。
本願発明の目的は、油粕をミクロンレベルまで微粉砕して単位表面積を大幅に大きくして、発酵菌の大量培養のための培養地として利用できるようにすると共に、混合された発酵菌が多数付着して増殖過程で短時間で効率的に摂取消費できるようにしたり、培養した発酵菌を大量に含み連作障害も克服する効果のある液体肥料の製造にも役立つ食用油製造粕の処理設備を提供するものである。
【課題を解決するための手段】
【０００４】
本願発明の油粕の処理設備は、
食用油の油粕と水とが供給されて油粕スラリーを生成するスラリー生成手段と、
筒状容器内の複数の筒状壁の間に形成された環状流路内に水が高圧ポンプによって供給されて高速水流が発生されると共に上記スラリー生成手段からポンプによって供給される油粕スラリーを環状流路において、高速水流の流れ方向変更部での衝撃作用、筒状壁近傍の剪断作用及び／又は水流中の空気によるキャビテーション作用によってスラリー中の油粕をミクロンレベルの粒子に微粉砕して排出する微粉砕手段と、
を有していることを特徴としている。
【０００５】
更に、本油粕の処理設備は、発酵菌供給手段と、上記微粉砕手段から微粉砕された微細油粕粒子を含んだ微細油粕粒子含有水流の供給を受けると共に上記発酵菌供給手段から発酵菌の供給を受けて油粕粒子を発酵菌で処理する処理槽とを有することができる。
【０００６】
上記スラリー生成手段は、油粕と水とを重量比で約１：９の割合で混合してスラリーを生成できるように構成され、そのためにｐＨ調節手段を有することできる。
【０００７】
上記発酵菌供給手段は、種菌を収容した種菌槽と、糖蜜栄養槽と、水クラスタを微粉砕する水微粉砕装置と、該水微粉砕装置から微細クラスタの水が供給されると共に上記種菌槽から発酵種菌が供給されると共に糖蜜栄養槽から糖蜜栄養が供給される培養槽とを有することできる。
【０００８】
上記微粉砕手段は、略同心状に２層以上の円筒状壁を有し、隣り合う円筒状壁間に環状流路を設けた竪形の円筒状容器と、環状流路に接線方向に加圧流体を注入して円周方向の８ｍ／秒以上の高速水流をつくって円筒状壁近傍の流体に対して剪断作用を発生させる噴出部と、上記隣り合ういずれかの円筒壁に配置して油粕スラリーを上記高速水流中に供給するスロットと、スロット部での衝撃作用や高速水流への混合時の剪断作用で油粕をミクロンレベルの粒子を含むまで微粉砕された微粉砕粒子を含む微細油粕粒子含有水流を排出する出口部とを有することできる。
【０００９】
上記微粉砕手段は、高圧ポンプによる高速水流によるエゼクター効果で吸入した油粕スラリーと共に、三層の円筒壁によって三つに区画された環状流路の内の第二環状流路に８ｍ／秒以上の混合高速水流を供給し、内円筒壁のスロットを経て又は内円筒壁の上端からの溢流で流入する内側の第三環状流路から別のポンプによって中間混合水流を吸入して出口部のある外側の第一環状流路に８ｍ／秒以上の高速度で供給し、これまでの過程で微粉砕された油粕粒子を含む微細油粕粒子含有水流を出口部から排出するように構成される。
【００１０】
上記筒状壁は、楕円筒状、又は部分的に平坦な部分を有した円筒状を成すことができる。
【発明の効果】
【００１１】
本発明の効果として、本願発明の食用油製造粕の処理設備では、スラリー生成手段によってペースト状の油粕がアルカリ性化学剤を利用した加水分解等でｐＨ調節しながら水と混合され流動可能な油粕スラリーを生成でき、ポンプで微粉砕手段に供給される。微粉砕手段では、複数の筒状壁の間に形成された環状流路内で水が高圧ポンプで供給されて発生された８ｍ／秒以上の高速水流にスラリー生成手段から油粕スラリーが供給され、高速水流の流れ方向変更部での衝撃作用、筒状壁近傍の剪断作用及び／又は水流中の空気によるキャビテーションによってスラリー中の油粕がミクロンレベルの粒子に微粉砕されることになる。このレベルまで油粕粒子が微粉砕されると大幅に単位表面積が大きくなり、例えば発酵菌を加えると油粕粒子に極めて多数の発酵菌が付着して棲息すると共に油粕粒子を摂取して増殖し、その発酵過程で大量の油粕粒子を炭酸ガスと熱等に効率的に分解消費する。因みに、半径が１ｍｍの球状有機物の比表面積が０．００１２０ｍ2 ／ｇにすぎなかったものが、半径が０．０００１ｍｍの球状に微細化されているとすると、比表面積は１２．０ｍ2 ／ｇと１万倍にも成り、従って１万倍の数の発酵菌が表面に付着することができて、発酵菌を効率的に極めて大量に培養することができる。従って、上述のように油粕が微粉砕されると微細油粕粒子含有水は、発酵菌の培養地として非常に有効であり、また大量の発酵菌が培養された状態の微細油粕粒子含有水は液体肥料としても利用され、含まれている発酵菌によって連作障害を緩和してくれる。土壌に重金属やヒ素類が含まれていても、極めて大量の発酵菌が増殖の過程で微量栄養源として発酵菌内に摂取され、人畜には無害な状態になる副次的効果を享受できる。
【００１２】
更に、本食用油製造粕の処理設備が、発酵菌供給手段と、上記微粉砕手段から微粉砕された微細油粕粒子を含んだ微細油粕粒子含有水流の供給を受けると共に上記発酵菌供給手段から発酵菌の供給を受けて油粕粒子を発酵菌で処理する処理槽とを有すると、処理槽において上述のように大幅に単位表面積が大きくなった油粕粒子によって発酵菌を効率的に極めて大量に培養することができ、連作障害を緩和してくれる発酵菌を大量に含んだ液体肥料の他に、生ゴミ保管場所や処理場での悪臭防止剤や、汚泥やヘドロの処理剤や、家畜下水処理剤や、魚介類加工場の残渣処理剤や、飼料処理剤を生成できる。
【００１３】
スラリー生成手段が、油粕と水とを重量比で約１：９の割合で混合してスラリーを生成するようにアルカリ性状態で加水分解するために重曹や炭酸ナトリウム等を供給するｐＨ調節手段を有することで、ｐＨ調節手段から加えられる重曹や炭酸ナトリウムや苛性ソーダ等のｐＨ調節剤によってペースト状の油分のある油粕でも約９倍の量の水に懸濁でき、流動性に富んだスラリーと生成することができる。
【００１４】
発酵菌供給手段は、種菌を収容した種菌槽と、糖蜜栄養槽と、水クラスタを微粉砕する水微粉砕装置と、該水微粉砕装置から微細クラスタの水が供給されると共に上記種菌槽から発酵種菌が供給されると共に糖蜜栄養槽から糖蜜栄養が供給される培養槽とを有することでき、培養槽において種菌槽からの増殖能力に富んだ種菌を糖蜜栄養槽からの糖蜜を栄養にして水微粉砕装置からの微細クラスタの水で増殖力の旺盛な発酵菌を大量に培養できる。
【００１５】
微粉砕手段では、略同心状に２層以上設けられた隣り合う円筒壁間に環状流路を形成し、この環状流路に噴出部から接線方向に加圧流体を注入して、例えば１０ｍ／秒以上の円周方向の高速水流をつくって円筒壁近傍の流体に対して剪断作用を発生させ、供給部からの油粕含有のスラリーをこの高速水流中でその剪断作用でミクロンレベルの粒子を大量に含むまで微粉砕して、連続的に微細油粕粒子を含む流体の出口部から排出することで、微粉砕粒子を含む微細油粕粒子含有水が発酵菌の優れた培養地として利用できると共に、発酵菌の添加によって微細油粕粒子含有水流の油粕粒子を短時間で効率的な分解消失処理でき、更に上述のように多様に利用される。
【００１６】
微粉砕手段では、高圧ポンプによる高速度水流によるエゼクター効果で吸入した油粕スラリーと共に、三層の円筒壁によって三つに区画された環状流路の内の第二環状流路に混合高速度水流が供給され、内円筒壁のスロットを経て又は内円筒壁の上端からの溢流で流内側の第三環状流路に流入されるとスロット部の流れ方向変更部での衝撃作用や溢流による滝壷効果、即ち大きな衝撃作用で油粕粒子が微粉砕される。これは、高圧ポンプによるによる押し込みと別のポンプによる吸引による相乗作用で大きな衝撃力が発生される。その後に別のポンプによって更に中間混合水流が吸入されて出口部のある外側の第一環状流路に高速度で供給されて剪断作用を受け、これらの過程で微粉砕された油粕粒子を含む微細油粕粒子含有水流が出口部から排出される。微細油粕粒子含有水は発酵菌の優れた培養地として利用され、発酵菌の添加によって微細油粕粒子含有水は、その油粕粒子が短時間で効率的な分解消失され、更に上述のように多様に利用される。
【００１７】
筒状壁が楕円筒状や部分的に平坦な部分を有した円筒状を成すと、それら非円形部分において高圧ポンプによって発生された高速度水流は更に大きな衝撃作用と剪断作用を起こして水流中の油粕粒子を微粉砕できる。
【発明を実施するための最良の形態】
【００１８】
次に、本発明の代表的な実施形態に係る食用油製造粕の処理設備を図面によって説明する。
図１において、本発明の代表的な実施形態の食用油製造粕の処理設備１は、発酵菌供給装置１０と、搾油機５からの油粕Ａをスラリー化するスラリー生成装置２０と、スラリー生成装置２０からの油粕スラリーＳ中の油粕粒子を微粉砕する微粉砕装置３０と、微粉砕装置３０から微細油粕粒子含有水流Ｓ’の供給を、発酵菌供給装置１０から大量の発酵菌Ｆの供給をそれぞれ受けて発酵処理する処理装置５０とから構成されている。微粉砕装置３０からの微細油粕粒子含有水流は、発酵培地として出荷可能である。処理装置５０からの大量に培養された発酵菌を含んだ処理液Ｓ”は、連作障害を緩和してくれる液体肥料、生ゴミ保管場所や処理場での悪臭防止剤、汚泥やヘドロの処理剤、家畜下水処理剤、魚介類加工場の残渣処理剤、飼料処理剤として、グリーストラップ、レンダリング等に使用される。
【００１９】
発酵菌供給装置１０は、現地で採取されたラクトバチルス菌などの発酵菌種を収容した種菌槽１１と、糖蜜を含む栄養物を収容した糖蜜栄養槽１２と、供給される上水ｗの水クラスターを高圧水中ポンプＰ０で発生される８ｍ／秒以上の、好ましくは２０〜３０ｍ／秒の高速水流による衝撃作用と剪断作用とによって微粉砕する水微粉砕装置１３（ポンプＰ０は該装置１３から水を吸引する）と、該水微粉砕装置１３から処理水が供給されると共に種菌槽１１から発酵菌種を、糖蜜栄養槽１２から糖蜜栄養分をそれぞれ供給されて発酵菌を大量に培養する培養槽１４とから構成されている。水微粉砕装置１３は、後述の微粉砕装置３０と同じ原理で流れ方向変更部での衝撃作用と筒状壁部での水流速度差による剪断作用と気泡破裂の超音波とによって水のクラスタを微細化するものである。培養槽１４内では、供給されたクラスタの微細化された水が、発酵菌や糖蜜栄養分のキメ細かな分散を促して増殖力の旺盛な発酵菌の大量培養を可能にする。
【００２０】
発酵菌Ｆとしては、ラクトバチルス菌などの乳酸菌や酵母菌や酪酸菌や納豆菌が一般的に知られている。ラクトバチルス菌などの発酵菌種は、油粕の処理現場や発酵菌の培養現場で採取されたものが、その現場での気候風土で生存してきたもので好ましく、細菌生存圏にできるだけ余計な摩擦をもたらさないようにして存分に効力を発揮できる丈夫な発酵菌種を得ることができる。また培養槽１４には、共生関係を取る光合成菌が添加されると、互いに必要とする物質を供給しあって培養を早めてくれるほか、光合成菌は腐敗菌が発生させる悪臭物質を栄養源として摂取してくれ、次に説明するように発酵菌が増殖力を高める。即ち、光合成菌は、アミノ酸やミネラルやビタミン等の優れた栄養分に富んでいて菌体自身が有機肥料としても有用であるが、腐敗物に会うと硫酸還元菌が発生させる硫化水素を栄養源として積極的に摂取するばかりでなく、有毒アミンであるプトレシンやカタベリン、また発癌催奇性のジメチルニトロサミンも好んで基質として摂取して分解除去してくれる。
【００２１】
スラリー生成装置２０では、搾油機５から油を絞った粕として供給される、例えば大豆粕等の油粕Ａは、重量比で約１：９の割合で水Ｗと混合されると共に、ｐＨが１０前後のアルカリ性状態で加水分解するために、また低ｐＨの油粕の場合には必要に応じて重曹や炭酸ナトリウムや苛性ソーダ等のｐＨ調節剤ＢがｐＨ調節装置６からスラリー生成装置２０に供給されて撹拌混合され、ペースト状の油分のある油粕でも約９倍の量の水Ｗに懸濁され、流動性に富んだ弱アルカリ性のスラリーＳが生成される。スラリーＳは、その中の油粕粒子がミクロンレベルまで微粉砕されるようにポンプＰ１によって微粉砕装置３０に供給される。
【００２２】
第一実施例の微粉砕装置３０は、例えば図３（Ａ）と図３（Ｂ）に示すように、中空円筒容器３２を天板３２ａと底板３２ｂと周囲壁３２ｃとから形成し、内部に円筒内壁３３ｃを同心状に設けて外側の環状流路３３と内腔室３４とを形成している。周囲壁３２ｃの底板３２ｂの近くに噴出管３１ａの吐出口部３１ｂを接線方向から内部に向けて取り付け、高圧ポンプＰ３から供給される水流によって環状流路３３内で循環する、例えば約８ｍ／秒以上の、好ましくは２０〜３０ｍ／秒の高速水流Ｈ１を発生させる。微粒化すべき上水ｗ（水微粉砕装置１３の場合）やスラリーＳを高速水流Ｈ１に略直角に衝突させるために、円筒内壁３３ｃに縦長のスロット３３ｄを複数形成すると共に上水やスラリーの給管３５を内腔室３４に開口するように天板３２ａに取り付けて、上水ｗやスラリーＳを内腔室３４を経て縦長のスロット３３ｄから環状流路３３へ供給するようにしている。スロット３３ｄから出た処の混合領域Ｍで、上水ｗのクラスタやスラリーＳの油粕粒子を方向変化による衝撃作用と、高速水流Ｈ１と円筒内壁３３ｃの外面や周囲壁３２ｃの内面に沿った付着水との大きな速度差による剪断作用と、水中の空気のキャビテーション作用とによって１〜１０μｍまで微粒化する。水噴出管３１ａからの水流に気泡を混入する気泡発生器を水噴出管３１ａに付設してもよい。クラスタが微細化された上水ｗ’や油粕粒子が微粉砕された微細粒子含有水流Ｓ’は、排出管３６（必要に応じて複数個所に設けられる）から排出される。高圧ポンプＰ３は、別の排出管３７から吸入して水を循環するようにしている。このように微粉砕された微細油粕粒子の場合は、例えば微粉砕前に半径が１ｍｍの球状物の比表面積が０．００１２０ｍ2 ／ｇにすぎなかったものが、半径が０．０００１ｍｍの球状に微粉砕されると、比表面積は１２．０ｍ2 ／ｇと１万倍にも成り、従って１万倍の数の発酵菌が表面に付着することができて、発酵菌の優れた培養地Ｕ１として利用できると共に、処理装置５０において発酵菌を効率的に大量に培養したり、油粕粒子を短時間で効率的な分解消失処理でき、更に処理液Ｓ”は上述のように多様に利用される。
【００２３】
図２と図４に示す第二実施例の微粉砕装置４０は、天板４２ａと底板４２ｂ、４２ｃとによって上下が塞がれた容器４３の三層の円筒壁４３ａ、４３ｂ、４３ｃ（第三円筒壁４３ｃのみ天板４２ａに対して隙間を取っている）によって三つに区画された環状流路の内の中間の第二環状流路４４ｂに油粕スラリーＳと共に水をポンプＰ４によって８ｍ／秒以上の、好ましくは２０〜３０ｍ／秒の高速水流Ｈ２で供給し、第三円筒内壁４３ｃの上端からの溢流で強烈に落下して流入する（流れ方向変更部を構成）内側中央の第三環状流路４４ｃの底から配管４６を介して別のポンプＰ５によって中間処理の微細油粕粒子含有の混合水流を吸入して出口部（配管４８を介して処理装置５０に接続されている）のある外側の第一環状流路４４ａに８ｍ／秒以上の、好ましくは２０〜３０ｍ／秒の高速水流Ｈ２’で供給するようにしており、衝撃作用と剪断作用とが繰り返し加えられる。第二と第三の円筒壁４３ｂ、４３ｃに第一実施例のスロット３３ｄやスリットを形成することもできる。高速水流Ｈ２へのスラリーＳの取り込みは、高圧ポンプＰ４が配管４７を介して第一環状流路４４ａから吸引して吐出した高速水流を利用したエゼクター部４１で行われ、吸入した油粕スラリーＳと共に混合高速水流Ｈ２が第二環状流路４４ｂに供給される。円筒壁４３ｃにスロットを設けた場合はスロットを経て、又は内円筒壁４２ｃの上端からの溢流で内側の第三環状流路４４ｃに流入されるとスロット部の流れ方向変更部での衝撃作用や溢流による滝壷効果、即ち大きな衝撃作用で油粕粒子が微粉砕される。これは、高圧ポンプＰ４によるによる押し込みと別のポンプＰ５による吸引による相乗作用で大きな衝撃力が発生される。微細油粕粒子含有水Ｓ’は上述のように優れた培養地として利用され、発酵菌が添加されて増殖した発酵微細油粕粒子含有水である処理水Ｓ”は、その油粕粒子が短時間で効率的な分解消失され、更に上述のように多様に利用される。
【００２４】
筒状壁３２ｃ、３３ｃ、４３ａ、４３ｂ、４３ｃが、円筒形状以外に楕円筒状や部分的に平坦な部分を有した円筒状を成すと、それら非円形部分において高圧ポンプによって発生された高速水流は更に大きな衝撃作用と剪断作用を起こして水流中の油粕粒子を効果的に微粉砕できる。
【００２５】
処理装置５０は、微粉砕装置から微粉砕された微細油粕粒子を含んだ微細油粕粒子含有水流Ｓ”の供給を受けると共に発酵菌供給装置１０から大量の発酵菌の供給を受けて油粕粒子を発酵菌Ｆの増殖の餌として消費処理して炭酸ガスと熱に転換する他に、更に増えた大量の発酵菌を含んだ処理液Ｓ”は、連作障害を緩和してくれる液体肥料、生ゴミ保管場所や処理場等での悪臭防止剤、汚泥やヘドロの処理剤、家畜下水処理剤、魚介類加工場の残渣処理剤、飼料処理剤等として、またグリーストラップやレンダリング等に使用される。
【図面の簡単な説明】
【００２６】
【図１】本発明の代表的な実施形態の油粕の処理設備を示した説明図。
【図２】同設備の第二実施例の微粉砕装置の概略説明図。
【図３】同設備の第一実施例の微粉砕装置を示しており、（Ａ）は一部切り欠き平面図、（Ｂ）は一部切り欠き立面図。
【図４】同設備の第二実施例の微粉砕装置の一部切り欠き立面図。
【符号の説明】
【００２７】
１：  油粕の処理設備
６：ｐＨ調節手段
１０：発酵菌供給手段
１１：種菌槽
１２：糖蜜栄養槽
１３：水微粉砕装置
１５：発酵菌培養槽
２０：スラリー生成手段
３０：微粉砕手段
３２：筒状容器
３２ｃ、３３ｃ：筒状壁
３３：環状流路
４０：微粉砕手段
４１：エゼクター手段
４３：筒状容器
４３ａ、４３ｂ、４３ｃ：筒状壁
４４ａ：第一環状流路
４４ｂ：第二環状流路
４４ｃ：第三環状流路
５０：処理装置
Ａ：油粕
Ｂ：ｐＨ調節剤
Ｆ：発酵菌
Ｈ１：高速水流
Ｈ２：混合高速水流
Ｐ３：高圧ポンプ
Ｐ４：高圧ポンプ
Ｐ５：別のポンプ
Ｓ：油粕スラリー
Ｓ’：微細油粕粒子含有水流
Ｗ：水
【図１】
2005334779.tif 000003
【図２】
2005334779.tif 000004
【図３】
2005334779.tif 000005
【図４】
2005334779.tif 000006